(57)【要約】【課題】残り数量の計数の起点となる設定数量の調整に伴う煩わしさを軽減することができる時計を提供することを目的とする。【解決手段】時計は、所定範囲の中の一つの数量を第１初期数量に設定する数量設定部と、所定範囲の上限又は下限までの残り数量の計数の起点となる設定数量の調整を開始させるよう指示する開始信号及び設定数量の調整を終了させるよう指示する終了信号を受信する信号受信部と、信号受信部が開始信号を受信した第１開始時点から終了信号を受信する第１終了時点までの間、第１初期数量から所定範囲の上限又は下限まで規定時間で到達するように所定範囲の上限又は下限に向かって設定数量を変化させる第１調整処理を実行する数量調整部と、第１初期数量又は設定数量を表示する数量表示部と、を備える。【選択図】図１
2020085600.tif 000002
【特許請求の範囲】
【請求項１】
所定範囲の中の一つの数量を第１初期数量に設定する数量設定部と、
前記所定範囲の上限又は下限までの残り数量の計数の起点となる設定数量の調整を開始させるよう指示する開始信号及び前記設定数量の調整を終了させるよう指示する終了信号を受信する信号受信部と、
前記信号受信部が前記開始信号を受信した第１開始時点から前記終了信号を受信する第１終了時点までの間、前記第１初期数量から前記所定範囲の上限又は下限まで規定時間で到達するように前記所定範囲の上限又は下限に向かって前記設定数量を変化させる第１調整処理を実行する数量調整部と、
前記第１初期数量又は前記設定数量を表示する数量表示部と、
を備える時計。
【請求項２】
前記規定時間は、前記第１初期数量から前記所定範囲の上限又は下限まで前記設定数量を変化させる際の所要時間であり、前記第１初期数量の値とは独立して決定される、
請求項１に記載の時計。
【請求項３】
前記数量調整部は、前記第１調整処理を実行する場合、前記第１初期数量から前記所定範囲の上限又は下限に向かって前記設定数量を一定の速度で変化させる、
請求項１又は請求項２に記載の時計。
【請求項４】
前記数量調整部は、前記第１調整処理を実行している途中で前記第１初期数量から前記所定範囲の上限又は下限に向かって前記設定数量を変化させる速度を少なくとも一回変化させる、
請求項１又は請求項２に記載の時計。
【請求項５】
前記数量設定部は、前記信号受信部が前記第１終了時点の後に再び前記開始信号を受信した場合、前記第１終了時点で前記数量表示部に表示されていた数量を第２初期数量に設定し、
前記数量調整部は、前記信号受信部が前記第１終了時点の後に再び前記開始信号を受信した第２開始時点から再び前記終了信号を受信する第２終了時点までの間、前記第２初期数量から前記所定範囲の上限又は下限まで前記規定時間で到達するように前記所定範囲の上限又は下限に向かって前記設定数量を変化させる第２調整処理を実行し、
前記数量表示部は、前記第２初期数量又は前記設定数量を表示する、
請求項１から請求項４のいずれか一つに記載の時計。
【請求項６】
前記数量調整部は、前記第２調整処理を実行する場合、前記第２初期数量から前記所定範囲の上限又は下限に向かって前記設定数量を一定の速度で変化させる、
請求項５に記載の時計。
【請求項７】
前記数量調整部は、前記第２調整処理を実行している途中で前記第２初期数量から前記所定範囲の上限又は下限に向かって前記設定数量を変化させる速度を少なくとも一回変化させる、
請求項５に記載の時計。
【発明の詳細な説明】
【技術分野】
【０００１】
本発明は、時計に関する。
【背景技術】
【０００２】
従来からタイマー機能を備える時計が残り時間を計数する際の起点となる時間を調整する方法として、例えば、ボタンを押下し続ける操作により時間を連続的に変化させ、ボタンの押下を止めた際に表示されていた時間を残り時間を計数する際の起点に設定する方法がある。
【０００３】
また、例えば、特許文献１には、ステップモータと外部操作手段と修正信号作成回路と、時刻または、アラームの設定時刻または、タイマーの設定時間または、指針の基準位置等を外部操作手段により電子的に連続修正する制御手段を有し、修正信号作成回路により、連続修正を行うときの、指針の運針速度を段階的に増加または減少させることを特徴とした電子修正機能付時計が開示されている。
【先行技術文献】
【特許文献】
【０００４】
【特許文献１】特開平０２−１３８８９５号公報
【０００５】
しかし、この電子修正機能付時計は、連続修正の速度が一定である。このため、この電子修正機能付時計は、ユーザが設定したいと考えているタイマーの設定時間等と現在表示されている時間等との乖離が大きい場合、ユーザが外部操作手段を長時間操作し続けなければならないことがある。また、この電子修正機能付時計は、ユーザが設定したいと考えているタイマーの設定時間等と現在表示されている時間等との乖離が小さい場合、ユーザが外部操作手段を一回操作する間に所望の設定時間を通り過ぎてしまうことがある。
【発明の概要】
【発明が解決しようとする課題】
【０００６】
本発明は、上記の問題点に鑑みてなされたものであって、残り数量の計数の起点となる設定数量の調整に伴う煩わしさを軽減することができる時計を提供することを目的とする。
【課題を解決するための手段】
【０００７】
上記目的を達成するため、本発明の一態様に係る時計は、所定範囲の中の一つの数量を第１初期数量に設定する数量設定部と、前記所定範囲の上限又は下限までの残り数量の計数の起点となる設定数量の調整を開始させるよう指示する開始信号及び前記設定数量の調整を終了させるよう指示する終了信号を受信する信号受信部と、前記信号受信部が前記開始信号を受信した第１開始時点から前記終了信号を受信する第１終了時点までの間、前記第１初期数量から前記所定範囲の上限又は下限まで規定時間で到達するように前記所定範囲の上限又は下限に向かって前記設定数量を変化させる第１調整処理を実行する数量調整部と、前記第１初期数量又は前記設定数量を表示する数量表示部と、を備える。
【０００８】
また、本発明の一態様に係る時計において、前記数量調整部は、前記第１調整処理を実行する場合、前記第１初期数量から前記所定範囲の上限又は下限に向かって前記設定数量を一定の速度で変化させてもよい。
【０００９】
また、本発明の一態様に係る時計において、前記数量調整部は、前記第１調整処理を実行している途中で前記第１初期数量から前記所定範囲の上限又は下限に向かって前記設定数量を変化させる速度を少なくとも一回変化させてもよい。
【００１０】
また、本発明の一態様に係る時計において、前記数量設定部は、前記信号受信部が前記第１終了時点の後に再び前記開始信号を受信した場合、前記第１終了時点で前記数量表示部に表示されていた数量を第２初期数量に設定し、前記数量調整部は、前記信号受信部が前記第１終了時点の後に再び前記開始信号を受信した第２開始時点から再び前記終了信号を受信する第２終了時点までの間、前記第２初期数量から前記所定範囲の上限又は下限まで前記規定時間で到達するように前記所定範囲の上限又は下限に向かって前記設定数量を変化させる第２調整処理を実行し、前記数量表示部は、前記第２初期数量又は前記設定数量を表示してもよい。
【００１１】
また、本発明の一態様に係る時計において、前記数量調整部は、前記第２調整処理を実行する場合、前記第２初期数量から前記所定範囲の上限又は下限に向かって前記設定数量を一定の速度で変化させてもよい。
【００１２】
また、本発明の一態様に係る時計において、前記数量調整部は、前記第２調整処理を実行している途中で前記第２初期数量から前記所定範囲の上限又は下限に向かって前記設定数量を変化させる速度を少なくとも一回変化させてもよい。
【発明の効果】
【００１３】
本発明によれば、残り数量の計数の起点となる設定数量の調整に伴う煩わしさを軽減することができる。
【図面の簡単な説明】
【００１４】
【図１】実施形態に係る時計の構成の一例を示す図である。
【図２】実施形態に係る時計が第１初期数量から所定範囲の上限まで規定時間で到達するように所定範囲の上限に向かって設定数量を変化させる場合の一例を示す図である。
【図３】実施形態に係る時計が実行する処理の一例を示すフローチャートである。
【図４】実施形態に係る時計が実行する処理の一例を示すフローチャートである。
【発明を実施するための形態】
【００１５】
［実施形態］
図１及び図２を参照しながら、実施形態に係る時計の一例について説明する。図１は、実施形態に係る時計の構成の一例を示す図である。図１に示すように、時計１は、数量設定部１１と、信号受信部１２と、数量調整部１３と、数量表示部１４とを備える。以下の説明では、時計１が備えるタイマー機能を例に挙げて説明する。このタイマー機能は、０分０秒から９９時間５９分０秒の間で設定された時間を起点として０分０秒まで１秒ごとにカウントダウンする機能である。
【００１６】
数量設定部１１は、所定範囲の中の一つの数量を第１初期数量に設定する。例えば、時計１が備えるタイマー機能の場合、所定範囲が０分０秒から９９時間５９分０秒であり、所定範囲の中の一つの数量が０分から９９時間５９分０秒の間の時間である５０時間０分０秒である。なお、数量設定部１１は、例えば、時計１の電源が投入された際に表示されていた数量を第１初期数量として設定してもよい。また、数量設定部１１は、所定範囲、例えば、０分０秒から９９時間５９分０秒の上限又は下限を第１初期数量として設定してもよい。
【００１７】
信号受信部１２は、所定範囲の上限又は下限までの残り数量の計数の起点となる設定数量の調整を開始させるよう指示する開始信号及び設定数量の調整を終了させるよう指示する終了信号を受信する。
【００１８】
開始信号は、例えば、一つの連続した信号の立ち上がり部分、複数のパルスを含む信号の初めのパルスの立ち上がり部分である。同様に、終了信号は、例えば、一つの連続した信号の立ち下がり部分、複数のパルスを含む信号の最後のパルスの立ち下がり部分である。この場合、ユーザが時計１に設けられているボタンの押下を開始した時に開始信号が信号受信部１２へ送信され、当該ボタンを押下し続けた後、当該ボタンの押下を終了した時に終了信号が信号受信部１２へ送信される。
【００１９】
或いは、開始信号及び終了信号は、一つのパルス状の信号である。この場合、第１初期数量が設定された後、ユーザが時計１に設けられているボタンを押下した時に開始信号が信号受信部１２へ送信され、再度当該ボタンを押下した時に終了信号が信号受信部１２へ送信される。
【００２０】
また、信号受信部１２は、開始信号が受信されたか否かを判定し、終了信号が受信されたか否かを判定する。
【００２１】
数量調整部１３は、信号受信部１２が開始信号を受信した第１開始時点から終了信号を受信する第１終了時点までの間、第１初期数量から所定範囲の上限まで規定時間で到達するように所定範囲の上限に向かって設定数量を変化させる第１調整処理を実行する。ここで、数量調整部１３は、第１開始時点から第１終了時点までの時間が規定時間未満である場合、例えば、規定時間が３０秒に設定されており、ユーザが時計１に押下されているボタンを２０秒押下した場合、第１終了時点で第１調整処理を終了させる。一方、数量調整部１３は、第１開始時点から第１終了時点までの時間が規定時間以上である場合、例えば、規定時間が３０秒に設定されており、ユーザが時計１に押下されているボタンを４０秒押下した場合、規定時間が経過した時点で第１調整処理を終了させる。
【００２２】
また、数量調整部１３は、第１調整処理を実行している途中で第１初期数量から所定範囲の上限に向かって設定数量を変化させる速度を少なくとも一回変化させる。例えば、数量調整部１３は、第１調整処理において、設定数量を変化させる速度を図２に示すように変化させる。
【００２３】
図２は、実施形態に係る時計が第１初期数量から所定範囲の上限まで規定時間で到達するように所定範囲の上限に向かって設定数量を変化させる場合の一例を示す図である。図２の縦軸は、第１初期数量から所定範囲の上限までの数量ステップ数である。この数量ステップ数は、数量調整部１３が単位時間当たりに変化させる数量の大きさであり、例えば、時計１が備えるタイマー機能の場合、単位時間が１秒であり、単位時間当たりに変化させる数量の大きさが１分である。また、図２の横軸は、時間である。
【００２４】
図２には、点Ａ、変曲点Ｂ、変曲点Ｃ、変曲点Ｄ、点Ｅが示されている。点Ａは、第１初期数量Ｓ（ｉ）及び第１開始時点Ｔ（ｉ）を示している点である。第１開始時点Ｔ（ｉ）は、例えば、０秒である。点Ｅは、所定範囲の上限Ｓ（ｆ）及び第１開始時点Ｔ（ｉ）から規定時間が経過した時点Ｔ（ｆ）を示している点である。ここで、規定時間とは、第１初期数量から所定範囲の上限まで設定数量を変化させる際の所要時間であり、第１初期数量の具体的な値に関わらず一定である。規定時間は、第１開始時点Ｔ（ｉ）及び第１開始時点Ｔ（ｉ）から規定時間が経過した時点Ｔ（ｆ）を用いて「Ｔ（ｆ）−Ｔ（ｉ）」と表される。規定時間は、時計１が製造される際に設定されてもよいし、ユーザにより任意の時間に調整されてもよく、例えば、３０秒に設定される。また、所定範囲の上限は、例えば、９９時間５９分０秒、すなわち５９９９分である。
【００２５】
変曲点Ｂは、第１開始時点から４秒が経過した時点における数量ステップ数が１６であることを示している点である。変曲点Ｃは、第１開始時点から８秒が経過した時点における数量ステップ数が４８であることを示している点である。変曲点Ｄは、第１開始時点から１２秒が経過した時点における数量ステップ数が１１２であることを示している点である。また、変曲点Ｂ、変曲点Ｃ及び変曲点Ｄは、数量調整部１３により設定される。
【００２６】
図２に示されている線分の傾きは、数量調整部１３が設定数量を変化させる速度を示している。例えば、線分ＡＢは、当該速度が４Ｈｚ、すなわち１秒間に設定数量を４分変化させることを示している。同様に、線分ＢＣは、当該速度が８Ｈｚであることを示している。線分ＣＤは、当該速度が１６Ｈｚであることを示している。線分ＤＥは、当該速度が３２Ｈｚであることを示している。つまり、数量調整部１３は、第１調整処理において、第１開始時点から４秒が経過するまでは４Ｈｚで設定数量を変化させ、第１開始時点後４秒から８秒までは８Ｈｚで設定数量を変化させ、第１開始時点後８秒から１２秒までは１６Ｈｚで設定数量を変化させ、第１開始時点後１２秒から３０秒までは３２Ｈｚで設定数量を変化させる。
【００２７】
なお、数量調整部１３は、第１調整処理を実行する場合、第１初期数量から所定範囲の上限に向かって設定数量を一定の速度で変化させてもよい。例えば、数量調整部１３は、図２に示した線分ＡＥの傾きが示している速度で設定数量を変化させてもよい。
【００２８】
また、数量調整部１３は、終了信号が受信された第１終了時点で表示されていた数量を設定数量に設定する。
【００２９】
数量表示部１４は、例えば、液晶ディスプレイ、文字盤に刻まれた時分等を指し示す針であり、第１初期数量又は設定数量を表示する。数量表示部１４は、数量調整部１３が第１調整処理において設定速度を変化させている場合、変化している途中の設定数量を逐一表示する。
【００３０】
なお、時計１は、数量調整部１３が第１終了時点以後に設定した設定数量を起点として所定範囲の上限又は下限までの残り数量の計数を開始させるよう指示する信号が受信されたか否かを判定し、当該信号が受信されたと判定した場合、当該設定数量を起点として所定範囲の上限又は下限までの残り数量を計数する。
【００３１】
次に、信号受信部１２が第１終了時点の後に再び開始信号を受信した場合について説明する。
【００３２】
数量設定部１１は、信号受信部１２が第１終了時点の後に再び開始信号を受信した場合、第１終了時点で数量表示部１４に表示されていた数量を第２初期数量に設定する。例えば、数量設定部１１は、ユーザが時計１に設けられているボタンの押下を終了させた後、再度当該ボタンを押下し、信号受信部１２が開始信号を受信した場合、第２初期数量を設定する。
【００３３】
信号受信部１２は、第１終了時点の後に開始信号が受信されたか否かを判定し、第１終了時点の後に終了信号が受信されたか否かを判定する。
【００３４】
数量調整部１３は、信号受信部１２が第１終了時点の後に再び開始信号を受信した第２開始時点から再び終了信号を受信する第２終了時点までの間、第２初期数量から所定範囲の上限まで規定時間で到達するように所定範囲の上限に向かって設定数量を変化させる第２調整処理を実行する。ここで、第２調整処理における規定時間は、第１調整処理における規定時間と同じである。また、数量調整部１３は、第２開始時点から第２終了時点までの時間が規定時間未満である場合、例えば、規定時間が３０秒に設定されており、ユーザが時計１に押下されているボタンを１５秒押下した場合、第２終了時点で第２調整処理を終了させる。一方、数量調整部１３は、第２開始時点から第２終了時点までの時間が規定時間以上である場合、例えば、規定時間が３０秒に設定されており、ユーザが時計１に押下されているボタンを４５秒押下した場合、規定時間が経過した時点で第２調整処理を終了させる。
【００３５】
また、数量調整部１３は、例えば、図２を使用して説明した方法と同様の方法により、第２調整処理を実行している途中で第２初期数量から所定範囲の上限に向かって設定数量を変化させる速度を少なくとも一回変化させる。
【００３６】
なお、数量調整部１３は、第２調整処理を実行する場合、例えば、図２を使用して説明した方法と同様の方法により、第２初期数量から所定範囲の上限に向かって設定数量を一定の速度で変化させてもよい。
【００３７】
また、数量調整部１３は、終了信号が受信された第２終了時点で表示されていた数量を設定数量に設定する。
【００３８】
数量表示部１４は、例えば、図２を使用して説明した方法と同様の方法により、第２初期数量又は設定数量を表示する。数量表示部１４は、数量調整部１３が第２調整処理において設定速度を変化させている場合、変化している途中の設定速度を逐一表示する。
【００３９】
なお、時計１は、数量調整部１３が第２終了時点以後に設定した設定数量を起点として所定範囲の上限又は下限までの残り数量の計数を開始させるよう指示する信号が受信されたか否かを判定し、当該信号が受信されたと判定した場合、当該設定数量を起点として所定範囲の上限又は下限までの残り数量を計数する。
【００４０】
次に、図３及び図４を参照しながら実施形態に係る時計の動作の一例を説明する。図３及び図４は、実施形態に係る時計が実行する処理の一例を示すフローチャートである。
【００４１】
ステップＳ１０において、数量設定部１１は、所定範囲の中の一つの数量を第１初期数量に設定する。
【００４２】
ステップＳ２０において、信号受信部１２は、所定範囲の上限又は下限までの残り数量の計数の起点となる設定数量の調整を開始させるよう指示する開始信号が受信されたか否かを判定する。信号受信部１２は、開始信号が受信されたと判定した場合（ステップＳ２０：Ｙｅｓ）、処理をステップＳ３０に進め、開始信号が受信されていないと判定した場合（ステップＳ２０：Ｎｏ）、開始信号が受信されたと判定するまで待機する。
【００４３】
ステップＳ３０において、数量調整部１３は、設定速度を変化させる速度を変化させる変曲点を設定する。
【００４４】
ステップＳ４０において、数量調整部１３は、開始信号が受信された第１開始時点から終了信号が受信された第１終了時点までの間、第１初期数量から所定範囲の上限まで規定時間で到達するように所定範囲の上限に向かって設定数量を変化させる第１調整処理を実行する。
【００４５】
ステップＳ５０において、信号受信部１２は、設定数量の調整を終了させるよう指示する終了信号が受信されたか否かを判定する。信号受信部１２は、終了信号が受信されたと判定した場合（ステップＳ５０：Ｙｅｓ）、処理をステップＳ６０に進め、終了信号が受信されていないと判定した場合（ステップＳ５０：Ｎｏ）、処理をステップＳ６０に戻す。
【００４６】
ステップＳ６０において、数量調整部１３は、終了信号が受信された第１終了時点で表示されていた数量を設定数量に設定する。
【００４７】
ステップＳ７０において、信号受信部１２は、第１終了時点の後に開始信号が受信されたか否かを判定する。信号受信部１２は、第１終了時点の後に開始信号が受信されたと判定した場合（ステップＳ７０：Ｙｅｓ）、処理をステップＳ８０に進め、第１終了時点の後に開始信号が受信されていないと判定した場合（ステップＳ７０：Ｎｏ）、処理をステップＳ１３０に進める。
【００４８】
ステップＳ８０において、数量設定部１１は、ステップＳ６０で設定された設定数量を第２初期数量に設定する。
【００４９】
ステップＳ９０において、数量調整部１３は、設定速度を変化させる速度を変化させる変曲点を設定する。
【００５０】
ステップＳ１００において、数量調整部１３は、第２初期数量から所定範囲の上限まで規定時間で到達するように所定範囲の上限に向かって設定数量を変化させる第２調整処理を実行する。
【００５１】
ステップＳ１１０において、信号受信部１２は、第１終了時点の後に設定数量の調整を終了させるよう指示する終了信号が受信されたか否かを判定する。信号受信部１２は、終了信号が受信されたと判定した場合（ステップＳ１１０：Ｙｅｓ）、処理をステップＳ１２０に進め、終了信号が受信されていないと判定した場合（ステップＳ１１０：Ｎｏ）、処理をステップＳ１００に戻す。
【００５２】
ステップＳ１２０において、数量調整部１３は、終了信号が受信された第２終了時点で表示されていた数量を設定数量に設定する。
【００５３】
ステップＳ１３０において、時計１は、ステップＳ１２０で設定された設定数量を起点として所定範囲の上限又は下限までの残り数量の計数を開始させるよう指示する信号が受信されたか否かを判定する。時計１は、当該信号が受信されたと判定した場合（ステップＳ１３０：Ｙｅｓ）、処理をステップＳ１４０に進め、当該信号が受信されていないと判定した場合（ステップＳ１３０：Ｎｏ）、当該信号が受信されたと判定するまで待機する。
【００５４】
ステップＳ１４０において、時計１は、ステップＳ１２０で設定された設定数量を起点として所定範囲の上限又は下限までの残り数量を計数する。
【００５５】
以上、実施形態に係る時計１について説明した。時計１は、第１開始時点から第１終了時点までの間、第１初期数量から所定範囲の上限まで規定時間で到達するように所定範囲の上限に向かって設定数量を変化させる第１調整処理を実行する。また、規定時間は、任意の長さに調整され得る。したがって、時計１は、ユーザの好みの時間内で第１初期数量から所定範囲の上限まで設定数量を変化させることにより、設定数量の調整に伴う煩わしさを軽減することができる。特に、時計１がアナログ時計である場合、設定数量の調整には一定以上の時間を要することが多いため、上述した時計１が実行する処理が特に有用となる。
【００５６】
また、時計１は、第１終了時点の後に再び開始信号を受信した第２開始時点から再び終了信号を受信する第２終了時点までの間、第２初期数量から所定範囲の上限まで規定時間で到達するように所定範囲の上限に向かって設定数量を変化させる第２調整処理を実行する。また、第２調整処理における規定時間は、第１調整処理における規定時間と同じである。したがって、時計１は、ユーザが第１調整処理により所望の設定数量に近づけた後、第１調整処理よりも遅い速度で設定数量を変化させる第２調整処理を実行することにより、第２調整処理の際に所望の設定数量を通り過ぎてしまうことが少なくなるため、設定数量の調整に伴う煩わしさを軽減することができる。
【００５７】
さらに、時計１は、第１初期数量又は第２設定数量から所定範囲の上限に向かって設定数量を一定の速度で変化させてもよい。このため、時計１は、数量表示部１４に表示されている数量を所望の設定数量で停止させることを容易にし、設定数量の調整に伴う煩わしさを軽減することができる。
【００５８】
また、時計１は、第１調整処理又は第２調整処理を実行している途中で第１初期数量又は第２初期数量から所定範囲の上限に向かって設定数量を変化させる速度を少なくとも一回変化させる。したがって、時計１は、例えば、ユーザが第１初期数量又は第２初期数量からの数量ステップ数が近い設定数量に設定したいと考えている場合、設定数量を比較的緩やかな速度で変化させ、所望の設定数量を通り過ぎてしまうことを少なくすることができる。また、時計１は、例えば、ユーザが第１初期数量又は第２初期数量からの数量ステップ数が遠い設定数量に設定したいと考えている場合、設定数量を変化させる速度を次第に速くし、数量表示部１４に表示されている数量を所望の設定数量まで速やかに変化させることができる。
【００５９】
なお、上述した実施形態では、時計１が備えるタイマー機能を例に挙げて説明したが、これに限定されない。例えば、上述した処理は、時計１が備えるタキメーター機能にも適用され得る。この場合、上述した数量は、時間ではなく距離となる。
【００６０】
また、上述した実施形態では、数量調整部１３が変曲点Ｂ、変曲点Ｃ及び変曲点Ｄを設定する場合を例に挙げたが、これに限定されない。数量調整部１３は、変曲点を設定しなくてもよいし、一つ、二つ又は四つ以上の変曲点を設定してもよい。また、数量調整部１３が設定する変曲点が示す時点及び数量ステップ数は、特に限定されない。さらに、数量調整部１３は、どの変曲点を採用して設定数量を変化させるかを選択してもよい。なお、図２の時間軸上において隣り合う変曲点を結ぶ全ての線分の傾きが図２に示した線分ＡＥの傾きよりも小さい場合、すなわち設定数量を変化させる速度が線分ＡＥの傾きで表される速度よりも必ず遅い場合、設定数量を変化させる速度が緩やかな変曲点が選択されることが好ましい。なぜなら、ユーザにとっては、設定数量を変化させる速度が緩やかな方が所望の設定数量に設定することが容易だからである。
【００６１】
また、上述した実施形態では、数量調整部１３が第１初期数量から所定範囲の上限まで規定時間で到達するように所定範囲の上限に向かって設定数量を変化させる場合を例に挙げたが、これに限定されない。数量調整部１３は、第１調整処理において、第１初期数量から所定範囲の下限まで規定時間で到達するように所定範囲の下限に向かって設定数量を変化させてもよい。この場合に時計１が奏する効果は、上述した効果と同様である。
【００６２】
また、数量調整部１３は、必ずしも、信号受信部１２が一回目に開始信号を受信してから終了信号を受信するまでの間にのみ第１調整処理を実行し、信号受信部１２が二回目に開始信号を受信してから終了信号を受信するまでの間にのみ第２調整処理を実行するわけではない。例えば、数量調整部１３は、信号受信部１２が二回目に開始信号を受信してから終了信号を受信するまでの間に第１調整処理を実行し、信号受信部１２が三回目に開始信号を受信してから終了信号を受信するまでの間に第２調整処理を実行してもよい。或いは、数量調整部１３は、信号受信部１２が三回目に開始信号を受信してから終了信号を受信するまでの間に第１調整処理を実行し、信号受信部１２が四回目に開始信号を受信してから終了信号を受信するまでの間に第２調整処理を実行してもよい。すなわち、数量調整部１３は、信号受信部１２が開始信号を受信した後に終了信号を受信する事象が複数回連続して発生した場合、隣接して発生した二つの事象のうち先に発生した事象について第１調整処理を実行し、後で発生した事象について第２調整処理を実行する。
【００６３】
なお、上述した時計１が備える機能の全部又は一部は、プログラムとしてコンピュータ読み取り可能な記録媒体に記録され、このプログラムがコンピュータシステムにより実行されてもよい。コンピュータシステムは、ＯＳ、周辺機器等のハードウェアを含むものとする。また、コンピュータ読み取り可能な記録媒体は、例えば、フレキシブルディスク、光磁気ディスク、ＲＯＭ（Read  Only  Memory）、ＣＤ−ＲＯＭ等の可搬媒体、コンピュータシステムに内蔵されるハードディスク等の記憶装置、インターネット等のネットワーク上のサーバ等が備える揮発性メモリ（Random  Access  Memory：ＲＡＭ）である。なお、揮発性メモリは、一定時間プログラムを保持する記録媒体の一例である。
【００６４】
また、上述したプログラムは、伝送媒体、例えば、インターネット等のネットワーク、電話回線等の通信回線により他のコンピュータシステムに伝送されてもよい。
【００６５】
また、上記プログラムは、上述した機能の全部又は一部を実現するプログラムであってもよい。なお、上述した機能の一部を実現するプログラムは、上述した機能をコンピュータシステムに予め記録されているプログラムとの組み合わせで実現できるプログラム、いわゆる差分プログラムであってもよい。
【００６６】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【００６７】
１…時計、１１…数量設定部、１２…信号受信部、１３…数量調整部、１４…数量表示部
【図１】
2020085600.tif 000003
【図２】
2020085600.tif 000004
【図３】
2020085600.tif 000005
【図４】
2020085600.tif 000006